(57)【要約】【課題】照明光の照射領域を広くするとともに、照射領域内の照射を均一にすることで照明効率の高い照明器具を提供する。【解決手段】照明器具１０は、管状の放電路が長手方向中央部を始点として同一平面に沿って渦巻き状に旋回された発光管４６と、発光管４６の両端部に設けられた一対の口金４８と、口金４８に設けられて発光管４６の旋回軸に対して直交する平面に沿って延びるランプピン４９とを備える蛍光ランプ１７と、長尺形状の器具本体１１と、器具本体１１の下端部に配置された点灯装置１３と、器具本体１１の上端部に配置された端子台１５と、器具本体１１における点灯装置１３と端子台１５との間から突出するとともに器具本体１１に支持され、かつ、蛍光ランプ１７を収納する厚板状の灯具１６とを備える。【選択図】図１
2008204694.tif 000002
【特許請求の範囲】
【請求項１】
管状の放電路が中央部を始点として同一平面に沿って渦巻き状に旋回された発光管と、
前記発光管の両端部にそれぞれ設けられた一対の口金と、
を備える蛍光ランプと、
長尺形状の壁面に取り付けられる器具本体と、
前記器具本体の長手方向一端部に配置された点灯装置と、
前記器具本体の長手方向他端部に配置された端子台と、
前記器具本体における前記点灯装置と前記端子台との間から突出するとともに前記器具本体に支持され、かつ、前記蛍光ランプを収納する厚板状の灯具とを備えることを特徴とする照明器具。
【請求項２】
前記器具本体における前記点灯装置と前記端子台との間に電源線を引き込むための引き込み穴と、前記電源線を収容するための収容空間とが設けられていることを特徴とする請求項１に記載の照明器具。
【発明の詳細な説明】
【技術分野】
【０００１】
本発明は、発光管、口金およびランプピンを有する蛍光ランプが備えられた照明器具に関する。
【背景技術】
【０００２】
照明装置として、器具本体が壁面に取り付けられ、この器具本体から支持台を突出させ、支持台に棒状の蛍光ランプ１０４が設けられた壁掛け型の照明装置が知られている（特許文献１参照）。
【０００３】
図７に示すように、特許文献１の照明装置１００は、壁面１０１に設置され、外面を露出して壁面１０１に取り付けられる器具本体１０２と、この器具本体１０２の一端部に連結されて壁面１０１から離れる方向に突出する支持台１０３を有している。
支持台１０３には、支持台１０３に沿って壁面１０１から離れる方向にランプカバー１０４が取り付けられており、ランプカバー１０４の内側には棒状の蛍光ランプ１０５が取り付けられている。この蛍光ランプ１０５は、棒状に形成されたものを中央で反折り返し、折り返した部位がそれぞれ水平方向に重ね合わせられている（特許文献１参照）。
【特許文献１】特開平４−２４５１０６号公報
【発明の開示】
【発明が解決しようとする課題】
【０００４】
特許文献１の蛍光ランプ１０４は、棒状に形成されたものを中央で反折り返し、折り返した部位がそれぞれ水平方向に重ね合わせられているので、比較的幅寸法が小さい。
このため、蛍光ランプ１０４から照射される照明光の照射領域が楕円状となり、かつ、照明光率が低かった。
【０００５】
本発明は、前述した課題を解決するためになされたもので、その目的は、灯具の最大寸法を小さくできるとともに、蛍光ランプの単位表面積当たりの光量を大きくできる壁取付形の照明器具を提供することにある。
【課題を解決するための手段】
【０００６】
本発明の照明器具は、管状の放電路が中央部を始点として同一平面に沿って渦巻き状に旋回された発光管と、前記発光管の両端部にそれぞれ設けられた一対の口金と、を備える蛍光ランプと、長尺形状の壁面に取り付けられる器具本体と、前記器具本体の長手方向一端部に配置された点灯装置と、前記器具本体の長手方向他端部に配置された端子台と、前記器具本体における前記点灯装置と前記端子台との間から突出するとともに前記器具本体に支持され、かつ、前記蛍光ランプを収納する厚板状の灯具とを備えることを特徴とする。
【０００７】
器具本体を長尺形状に形成し、器具本体の長手方向一端部に点灯装置を配置し、かつ、器具本体の長手方向他端部に端子台を配置した。そして、点灯装置と端子台との間から灯具を突出させ、灯具に蛍光ランプを収納した。
よって、長尺形状の器具本体からの灯具の突出位置がバランスのよいものにできる。加えて、発光管が、同一平面に沿って渦巻き状に旋回された形状であるので、灯具の最大寸法を小さくできるとともに、蛍光ランプの単位表面積当たりの光量を大きくできる照明器具を供給できる。
【０００８】
また、本発明は、前記器具本体における前記点灯装置と前記端子台との間に電源線を引き込むための引き込み穴と、前記電源線を収容するための収容空間とが設けられていることを特徴とする。
【０００９】
ここで、家屋の壁部から延出された電源線と、点灯装置との結線は、作業の都合上、壁部に近接した位置では結線できない。このため、電源線を壁部から長めに延出しておき、結線作業後に、電源線の余長を、照明器具のくぼみ等に押し込むことになるが、この作業は手間がかかる。
【００１０】
そこで、器具本体における点灯装置と端子台との間に、電源線を引き込むための引き込み穴と、電源線を収容するための収容空間とを設けた。
よって、引き込み穴から電源線を引き込み、引き込んだ電源線を収容空間に収容できる。これにより、電源線と点灯装置との結線作業を手間をかけないで簡単に行うことができる。
【発明の効果】
【００１１】
本発明の照明器具によれば、蛍光ランプからの照明光の照射領域を円形にしやすくするとともに、蛍光ランプの単位表面積当たりの光量を大きくできるという効果を有する。
【発明を実施するための最良の形態】
【００１２】
以下、本発明の実施形態に係る照明器具について、図面を参照して説明する。
図１に示すように、第１実施形態に係る照明器具１０は、上下方向に延出された長尺形状の器具本体１１と、器具本体１１の下端部（長手方向一端部）１２に配置された点灯装置１３と、器具本体１１の上端部（長手方向他端部）１４に配置された端子台１５と、器具本体１１における点灯装置１３と端子台１５との間から突出するとともに器具本体１１に支持された厚板状の灯具１６と、灯具１６に収納された蛍光ランプ１７とを備える。
【００１３】
図２に示すように、器具本体１１は、家屋の壁部に締付ねじ２１を介して取り付けられる矩形状のベースプレート２２と、ベースプレート２２に着脱自在に取り付けられた矩形箱状の容器２３とを備える。
ベースプレート２２には、点灯装置１３と端子台１５との間に電源線２５を容器２３内に引き込むための引き込み穴２６が形成されている。
【００１４】
図１に戻って、電源線２５は、家屋の壁部から延出され、引き込み穴２６を経て容器２３内に引き込まれ、端子台１５に結線されるものである。
端子台１５を電源線（図示せず）を介して点灯装置１３に接続することで、点灯装置１３に電力が供給される。
【００１５】
容器２３は、点灯装置１３および端子台１５をそれぞれ下端部１２および上端部１４に収納可能で、点灯装置１３および端子台１５間に電源線２５を収容可能な収容空間２８が備えられ、上壁２３Ａに締付ボルト３１が備えられ、前壁２３Ｂに灯具１６を支持する支持部３２が備えられている。
締付ボルト３１を締め付けてベースプレート２２の取付孔２２Ａに差し込むことで、ベースプレート２２に容器２３が取り付けられる。
【００１６】
このように、器具本体１１における点灯装置１３と端子台１５との間に、電源線２５を引き込むための引き込み穴２６と、電源線２５を収容するための収容空間２８とを設けた。
よって、引き込み穴２６から電源線２５を引き込み、引き込んだ電源線２５を収容空間２８に収容できる。これにより、電源線２５と点灯装置１３との結線作業を手間をかけないで簡単に行うことができる。
【００１７】
点灯装置１３は、容器２３の収容空間２８において、下端部（詳しくは、下半部）１２に収容され、容器２３の前壁２３Ｂにねじ止めされている。
端子台１５は、容器２３の収容空間２８において、上端部１４に収容され、容器２３の前壁２３Ｂにねじ止めされている。
【００１８】
灯具１６は、容器２３の支持部３２に設けられた連結ヒンジ３４と、連結ヒンジ３４にねじ止めされた円形箱状のセード３５（図３も参照）とが備えられている。
連結ヒンジ３４は、容器２３の支持部３２に設けられた固定ヒンジ部３７と、固定ヒンジ部３７に揺動軸３８を介して揺動自在に連結された揺動ヒンジ部３９とを有する。
揺動ヒンジ部３９にセード３５が取り付けられている。これにより、セード３５が揺動軸３８を支点にして上下方向に揺動可能に支持されている。
【００１９】
図４に示すように、セード３５内に反射板４１が収納され、反射板４１に取り付けられたランプソケット４２と、ランプソケット４２に取り付けられた蛍光ランプ１７が収納されている。
ランプソケット４２は、図４に示すリード線４０を介して点灯装置１３に接続されている。このリード線４０は、反射板４１の上側の空間４４（図１参照）を経て、連結ヒンジ３４まで導かれ、連結ヒンジ３４のリード線通路（図示せず）を経て容器２３の収容空間２８に導かれる。収容空間２８に導かれたリード線４０は点灯装置１３に接続されている。
よって、点灯装置１３で蛍光ランプ１７を点灯させることができる。
【００２０】
リード線４０を反射板４１の上側の空間４４を経て、連結ヒンジ３４まで導くことで、リード線４０をランプ光や熱から保護するとともに、意匠的にもリード線４０を外部に露出させないようにして外観性を良好に確保できる。
【００２１】
また、図４に示すように、一対のランプソケット４２のうち、点灯装置の高圧出力側に接続されたランプソケット４２を連結ヒンジ３４に距離Ｄと近づけて配置した。
これにより、点灯装置の高圧出力側に接続されたランプソケット４２と点灯装置１３との距離を短くすることで、高圧側リード線４０の浮遊容量を抑えて、蛍光ランプ１７の点灯始動性を向上させることができる。
【００２２】
器具本体１１を上下方向に延出された長尺形状に形成し、器具本体１１の下端部１２に点灯装置１３を配置し、かつ、器具本体１１の上端部１４に端子台１５を配置した。そして、点灯装置１３と端子台１５との間から灯具１６を突出させて灯具１６に蛍光ランプ１７を収納した。
よって、長尺形状の器具本体１１からの灯具１６の突出位置がバランスのよいものになり、蛍光ランプ１７を好適な位置に配置できる。
【００２３】
蛍光ランプ１７は、図５（Ａ）および図５（Ｂ）に示すように、管状の放電路が長手方向中央部４６Ａを始点として同一平面に沿って渦巻き状に旋回された発光管４６と、発光管４６の両端部４６Ｂにそれぞれ設けられた一対の口金４８と、口金４８に設けられて発光管４６の旋回軸に対して直交する平面に沿って延びるランプピン４９とを備えている。
【００２４】
したがって、一対の口金４８および一対のランプピン４９は、発光管４６の中央部４６Ａに対して点対称の位置に位置する。
発光管４６の中央部４６Ａは、その他の部分に比して太径に形成されている。よって、中央部４６Ａを最冷点としてランプ姿勢に関係なくランプ特性を安定させることができる。
また、一対のランプピン４９は、同一鉛直線状で上下に設けられている。
【００２５】
蛍光ランプ１７の発光管４６を同一平面に沿って渦巻き状に旋回し、発光管４６の両端部４６Ｂに口金４８を設け、口金４８にランプピン４９を発光管４６の旋回軸に対して直交する平面５０に沿って延ばすことで、蛍光ランプ１７をランプソケット４２を含め最も薄く、かつ、灯具の最大寸法を小さく構成することが可能になる。
【００２６】
また、一対のランプピン４９をそれぞれ、平面５０に対して直交する平面上に並べて配置することで、ランプソケット４２を含めた外径を小さく構成できる。
さらに、フィラメントが縦方向となり、ランプバルブ曲率が存在しても管内壁とのクリアランスを確保できる。
【００２７】
加えて、ランプ取付面に対して鉛直方向からランプソケット４２への取り付けを行う場合、各口金４８のそれぞれ１本のランプピン４９をランプソケット４２に挿入する要領でよく、水平２ピン配置や、管軸に対し直交したピン配置に比べて作業性がよい。
【００２８】
また、一対の口金４８を、発光管４６の中央部４６Ａに対して点対称であり、かつ、一対のランプピン４９を平行かつ逆向きに対峙させることで、蛍光ランプ１７をランプソケット４２を含め最も薄く、かつ、灯具の最大寸法を小さく、コンパクトに構成することが可能になる。
【００２９】
図５（Ａ）および図５（Ｂ）に示すように、一対の口金４８は、ブリッジ５１によって連結するのが望ましい。これにより、ランプピン４９のピッチ（配置）を安定させるとともに、蛍光ランプ１７の強度を向上させることができる。
さらに、ブリッジ５１を利用した蛍光ランプ１７の方向（位置）規制が可能となる。
【００３０】
また、ブリッジ５１上で、口金４８と近接する発光管４６との間、あるいは近接する発光管４６同士の間には、充填剤５３を設けるのが望ましい。
これにより、発光管４６の強度を増すとともに、発熱するランプ口金４８の放熱を図ることができる。
【００３１】
さらに、ブリッジ５１上に充填剤５３を設けることで、ランプバルブの強度をより一層高めることができる。
加えて、ブリッジ５１上に充填剤５３を設けることで、他の部位に設けるより光のロスが小さくなる。
【００３２】
図６（Ａ）および図６（Ｂ）に示すように、ランプソケット４２は、反射板４１（図１参照）に取り付けられる台部５５と、ランプピン４９を介して蛍光ランプ１７に電力を供給する端子（図示せず）を有する受け金５６と、台部５５の上に設けられ受け金５６を所定角度で回転可能に保持するホルダ部５７を有している。
【００３３】
受け金５６にはスリット５８およびスリット５８に連続して中心部に空間５９が設けられており、空間５９の内面に端子６１が設けられている。
空間５９の大きさは、一対のランプピン４９を回転可能に含むことができる大きさとなっている。なお、受け金５６にはレバー６２が設けられている。
【００３４】
以上説明したように、照明器具１０によれば、器具本体１１を上下方向に延出された長尺形状に形成し、器具本体１１の下端部１２に点灯装置１３を配置し、かつ、器具本体１１の上端部１４に端子台１５を配置した。そして、点灯装置１３と端子台１５との間から灯具を突出させ、灯具１６に蛍光ランプ１７を収納した。
【００３５】
よって、長尺形状の器具本体１１からの灯具１６の突出位置がバランスのよいものになり、蛍光ランプ１７を好適な位置に配置できる。加えて、発光管４６を、同一平面に沿って渦巻き状に旋回された形状とした。
ところで、従来の中空部を有するリング状の蛍光ランプは、蛍光ランプの略直径に対応した円形の領域が照射領域であるものの、蛍光ランプの中空部により照射領域の中央部の照度が低くなり、照射領域内の照度が不均一となっていた。
これに対して照明器具１０は、蛍光ランプ１７の発光管４６が渦巻き状に旋回されているため、蛍光ランプ１７の照明光の照射領域（図５（Ａ）中、一点鎖線）内に従来のような照度が低くなる領域が生じることがなく、蛍光ランプの単位表面積当たりの光量を大きくできる。
【００３６】
次に、蛍光ランプ１７の着脱について説明する。
なお、図６においては、説明の便宜上、照射面を上向きにした状態を示して説明する。
図６（Ａ）に示すように、一対のランプソケット４２、２９の受け金５６のスリット５８が最上端に位置するように、受け金５６を回転させておく。
通常は、蛍光ランプ１７を取り付ける前、すなわち古い蛍光ランプを取り外した後は、受け金５６はこの位置にある。また、蛍光ランプ１７を水平にすると、一対の口金４８に設けられている一対のランプピン４９は鉛直方向上下に位置し、スリット５８の方向と同じになる。
【００３７】
この状態で、ランプピン４９、３３を受け金５６のスリット５８から空間５９まで矢印Ａ（図６（Ａ）参照）の如く挿入する。このとき、各ランプソケット４２の近傍に設けられているランプ支持ばね６０（図４参照）によって蛍光ランプ１７の発光管４６を保持するようにする。
これにより、蛍光ランプ１７の取り付けの際に、蛍光ランプ１７がランプソケット４２から脱落するのを防止することができる。
【００３８】
次いで、レバー６２を矢印Ｂ（図６（Ａ）参照）の如く移動させて、受け金５６を回転させる。図６（Ｂ）に示すように、受け金５６の端子６１が両ランプピン４９に接触して電気的に接続されるとともに、スリット５８が回転するのでランプピン４９の上方は蓋されることになる。
これにより、ランプピン４９がランプソケット４２から脱落するのを完全に防止することができる。
なお、蛍光ランプ１７の取外しは、上述した蛍光ランプ１７の取付け手順を逆に行うことにより実施される。
【００３９】
蛍光ランプ１７の他の取付け方法として、蛍光ランプ１７の固定のみをランプホルダでおこない、電気接続はコネクタをランプピン４９に差し込むことで行うことも可能である。
【００４０】
なお、前記実施形態では、器具本体１１を壁部に取り付ける例について説明したが、これに限らないで、例えば器具本体１１をスタンドタイプとすることも可能である。
【００４１】
また、本発明の照明装置１０は、前述した実施形態に限定されるものでなく、適宜な変形，改良等が可能である。例えば、セード３５として円形箱状のものを例示したが、これに限らないで、正方形や正多角形等の他の形状を用いることも可能である。
【産業上の利用可能性】
【００４２】
本発明は、発光管、口金およびランプピンを有する蛍光ランプが備えられた照明器具への適用に好適である。
【図面の簡単な説明】
【００４３】
【図１】本発明に係る照明装置を示す断面図である。
【図２】本発明に係る照明装置の器具本体を分解した状態を示す図である。
【図３】本発明に係る照明装置を示す正面図である。
【図４】本発明に係る照明装置を示す底面図である。
【図５】（Ａ）は蛍光ランプの平面図、（Ｂ）は蛍光ランプの側面図である。
【図６】（Ａ）は蛍光ランプ装着前（装着時）の受け金具を示す斜視図、（Ｂ）は蛍光ランプ装着後の受け金具を示す斜視図である。
【図７】従来の照明装置を示す側面図である。
【符号の説明】
【００４４】
１０  照明器具
１１  器具本体
１２  下端部（長手方向一端部）
１３  点灯装置
１４  上端部（長手方向他端部）
１５  端子台
１６  灯具
１７  蛍光ランプ
２５  電源線
２６  引き込み穴
２８  収容空間
４６  発光管
４６Ａ  中央部（長手方向中央部）
４６Ｂ  発光管の両端部
４８  口金
４９  ランプピン
【図１】
2008204694.tif 000003
【図２】
2008204694.tif 000004
【図３】
2008204694.tif 000005
【図４】
2008204694.tif 000006
【図５】
2008204694.tif 000007
【図６】
2008204694.tif 000008
【図７】
2008204694.tif 000009